(57)【要約】【課題】ダブルＵスリット端子の設置された保安器サブモジュールにおける電線の接続を容易かつ的確に行うことができるダブルＵスリット端子用結線工具を得ること。【解決手段】電線をその伸長方向の前後２カ所で押圧してダブルＵスリット端子の一方のスリットに挟み込ませて前記電線と端子の電気的接続を行う第１の押圧部２０と、第１の押圧部２０に並設され、同じく前記電線を伸長方向の前後２カ所で押圧してダブルＵスリット端子の他方のスリットに挟み込ませて前記電線と端子の電気的接続を行う第２の押圧部２２と、を有する。これにより、ダブルＵスリット端子における２カ所のスリットにそれぞれ第１の押圧部及び第２の押圧部によって的確に電線を挟み込ませる押圧動作を行うことが可能となる。【選択図】図２
0003147807.tif 000002
【実用新案登録請求の範囲】
【請求項１】
保安器サブモジュールに入回線接続用端子として複数並列され２つの結線用スリットを有するダブルＵスリット端子に電線を接続するためのダブルＵスリット端子用結線工具において、
前記電線をその伸長方向の前後２カ所で押圧して前記ダブルＵスリット端子の一方のスリットに挟み込ませて前記電線と端子の電気的接続を行う第１の押圧部と、
前記第１の押圧部に並設され、同じく前記電線を伸長方向の前後２カ所で押圧して前記ダブルＵスリット端子の他方のスリットに挟み込ませて前記電線と端子の電気的接続を行う第２の押圧部と、
を有することを特徴とするダブルＵスリット端子用結線工具。
【請求項２】
前記第１の押圧部と前記第２の押圧部とは、前記電線を前後２カ所で押圧するための押圧突部をそれぞれ２個有し、
前記第１の押圧部と前記第２の前記それぞれの押圧突部は、前記電線の伸長方向に対する前後位置を互いに所定長さずらして形成されたことを特徴とする請求項１に記載のダブルＵスリット端子用結線工具。
【請求項３】
前記第１の押圧部のそれぞれの押圧突部相互の対向面及び前記第２の押圧部のそれぞれの押圧突部相互の対向面は、
結線動作時における電線の伸長方向に対して直交する面で互いに対向するように構成されたことを特徴とする請求項２に記載のダブルＵスリット端子用結線工具。
【請求項４】
前記第１の押圧部のそれぞれの押圧突部相互の対向面及び前記第２の押圧部のそれぞれの押圧突部相互の対向面は、
結線動作時における電線の伸長方向に対して、前記押圧突部の所定長さの前後位置ずれに対応した角度で傾斜した傾斜面とされたことを特徴とする請求項２に記載のダブルＵスリット端子用結線工具。
【請求項５】
前記第１の押圧部と前記第２の押圧部に対応して設けられ先端面に前記電線を受ける凹部を備え、前記ダブルＵスリットの設けられた前記保安器サブモジュール側に設置された電線切断用部材との行き交い動作が行われる際に、該電線切断用部材との協働により前記電線を切断する切断用突部を備えたことを特徴とする請求項１又は２の何れか１項に記載のダブルＵスリット端子用結線工具。
【考案の詳細な説明】
【技術分野】
【０００１】
本考案は、ダブルＵスリット端子用結線工具、特に、ＰＢＸ（構内交換機）や局内電話交換機などのインターフェイス部に施設される本配線盤に搭載され、雷等による過電圧、過電流から交換機を保護するための保安器サブモジュールのＵスリット端子と電線の接続用の結線工具に関する。
【背景技術】
【０００２】
従来、保安器サブモジュールに装填されたＵスリット端子と電線、すなわちジャンパ線等を電気的に接続するための結線工具が知られており、例えば、実開平５−７７８９０号公報（特許文献１）にはこの電線接続用の工具が開示されている。このような工具は、作業者が把持するための把持部とこの把持部の一端側から突出した先端動作部を有しており、作業者は把持部を握って先端動作部によりジャンパ線をクリップ端子側に押し込む動作を行うものである。
【０００３】
図１３は、従来の電線接続用の結線工具の先端動作部の拡大図であり、図示の様に把持部１００の一端側から先端動作部１０２が突出している。このような結線工具において重要なことは、ジャンパ線を接続すべきＵスリット端子のスリットに押し込むための押圧部を有していることであり、本図に示された従来の結線工具では２つの押圧突部１０４ａ及び１０４ｂが設けられている。すなわち、１本のジャンパ線をそのジャンパ線の伸長方向の前後２カ所で押すための一対の押圧突部が設けられているものである。
【０００４】
また、先端動作部１０２の側部には、ジャンパ線の先端を切断するためのカッタ部１０６が設けられている。先端動作部１０２は、結線動作時における電線のスリットへの押し込み動作の際には、付勢力に抗してベース部１０３内に引っ込む様に構成されている。すなわち、先端動作部１０２が引っ込み動作を行いつつスリットへのジャンパ線の押し込みを行い、これと共にカッタ部１０６が保安器サブモジュール側の構成部材と協働してジャンパ線の切断を行うものである。なお、先端動作部１０２には、位置調整用の突部１０７，１０８が設けられており、それらの上端面には、ジャンパ線を簡易保持するための円弧状の凹部である溝部１１０がそれぞれ形成されている。
【０００５】
【特許文献１】実開平５−７７８９０号公報
【考案の開示】
【考案が解決しようとする課題】
【０００６】
上述した従来の結線工具では、押圧突部は一対しか設けられていないので、一本のジャンパ線を一つのスリットを有するＵスリット端子に結線する状況の場合にのみ用いることが可能であった。しかしながら、例えば、一時的に一つの回線について２本のジャンパ線を接続する要請が生じる場合、例えば、電話加入者が同一局内で移転する様な場合、サービスの切替をスムーズに実施するため一時的に２カ所で接続を可能としたい状況が生じることがある。このような要請に対応するため、スリットを２つ並べて形成したダブルＵスリット端子が存在している。このようなダブルＵスリット端子へのジャンパ線の接続を的確に行うための結線工具は特に提示されていないのが実情である。
【０００７】
また、一つの保安器サブモジュールによって多くの回線をカバーするために多数のＵスリット端子が設置される傾向にあり、例えば、１６回線をカバーするための保安器サブモジュールにはＡジャンパ線の接続を行うＵスリット端子とＢジャンパ線の接続を行うＵスリット端子が上下２段に１６個づつ併設されている。このような多数のＵスリット端子が設置される状況において、ダブルＵスリット端子を設置する場合、各Ｕスリット端子の幅が更に広がるため保安器サブモジュールにおけるＵスリット端子の設置幅に関して更に大きなスペースが必要となる。
【０００８】
このような状況を回避するため、少なくともこれまでの保安器サブモジュールのサイズを拡大せずダブルＵスリット端子を設置可能とするために、各ダブルＵスリット端子の設置状態を並び方向に対して平行ではなく所定角度傾斜させたものとし、全体の設置幅の短縮をはかることが提案されている。このような傾斜設置されたダブルＵスリット端子に対しても対応できる結線工具も望まれている。
【０００９】
本考案は、上記課題に鑑みてなされたものであり、その目的はダブルＵスリット端子の設置された保安器サブモジュールにおける電線の接続を容易かつ的確に行うことができるダブルＵスリット端子用結線工具を提供することにある。
【課題を解決するための手段】
【００１０】
上記目的を達成するため請求項１に係るダブルＵスリット端子用結線工具は、
保安器サブモジュールに入回線接続用端子として複数並列され２つの結線用スリットを有するダブルＵスリット端子に電線を接続するためのダブルＵスリット端子用結線工具において、前記電線をその伸長方向の前後２カ所で押圧して前記ダブルＵスリット端子の一方のスリットに挟み込ませて前記電線と端子の電気的接続を行う第１の押圧部と、前記第１の押圧部に並設され、同じく前記電線を伸長方向の前後２カ所で押圧して前記ダブルＵスリット端子の他方のスリットに挟み込ませて前記電線と端子の電気的接続を行う第２の押圧部と、を有することを特徴とする。
【００１１】
これにより、ダブルＵスリット端子における２カ所のスリットにそれぞれ第１の押圧部及び第２の押圧部によって的確に電線を挟み込ませる押圧動作を行うことが可能となる。この動作はダブルＵスリット端子の一方のスリットのみに電線を結線する場合にも用いることができ、かつ同時に２本の結線を行う場合にも用いることが可能である。
【００１２】
請求項２に係るダブルＵスリット端子用結線工具は、
前記第１の押圧部と前記第２の押圧部とが、前記電線を前後２カ所で押圧するための押圧突部をそれぞれ２個有し、前記第１の押圧部と前記第２の前記それぞれの押圧突部が、前記電線の伸長方向に対する前後位置を互いに所定長さずらして形成されたことを特徴とする。
【００１３】
これにより、ダブルＵスリット端子が所定の傾斜角度をもって保安器サブモジュールに設置されている状況で、２カ所のスリットの位置が結線される電線の伸長方向の前後にずれた状況となっている（ダブルＵスリット端子の整列方向に一直線上に並んでいない）ことに対して、これに対応した押圧動作を行うことが可能となる。すなわち、第１及び第２の押圧部の押圧突部の位置が結線される電線の伸長方向（ダブルＵスリット端子の整列方向に直交する方向）に所定長さずれていることから、このズレがダブルＵスリット端子の傾斜によるスリット位置ずれに対応し、スリット内へのジャンパ線の押し込みが可能となるものである。
【００１４】
請求項３に係るダブルＵスリット端子用結線工具は、
前記第１の押圧部のそれぞれの押圧突部相互の対向面及びと前記第２の押圧部のそれぞれの押圧突部相互の対向面が、結線動作時における電線の伸長方向に対して直交する面で互いに対向するように構成されたことを特徴とする。
【００１５】
このような対向面の設定により、各押圧部によって電線をダブルＵスリット端子のスリット内に押し込み動作する際に、スリットの鋭角部にジャンパ線をより強く押しつける作用を奏することができ、結線作業の信頼性を確保することができる。
【００１６】
請求項４に係るダブルＵスリット端子用結線工具は、
前記第１の押圧部のそれぞれの押圧突部相互の対向面及びと前記第２の押圧部のそれぞれの押圧突部相互の対向面が、結線動作時における電線の伸長方向に対して、前記押圧突部の所定長さの前後位置ずれに対応した角度で傾斜した傾斜面とされたことを特徴とする。
【００１７】
この様に、押圧突部相互の対向面は傾斜面とされたことにより、各対向面がダブルＵスリット端子の傾斜方向と略平行となる構成が得られる。これにより、電線の押し込み動作をより抵抗なく行うことが可能となり、結線作業をよりスムーズに行うことができる。
【００１８】
請求項５に係るダブルＵスリット端子用結線工具は、
前記第１の押圧部と前記第２の押圧部に対応して設けられ先端面に前記電線を受ける凹部を備え、前記ダブルＵスリットの設けられた前記保安器サブモジュール側に設置された電線切断用部材との行き交い動作が行われる際に、該電線切断用部材との協働により前記電線を切断する切断用突部と、を備えたことを特徴とする。
【００１９】
これにより、ダブルＵスリット端子に対して２つの電線の結線を行う場合に、従来の結線工具と同様にそれぞれの電線の位置で各電線を的確に切断することが可能となっている。
【考案の効果】
【００２０】
本考案によれば、保安器サブモジュールに設置された２つのスリットを有するダブルＵスリット端子のスリットに電線を結線する際にこの結線動作を的確かつ容易に行うことができる。更に、通常のＵスリット端子よりも広い幅を有するダブルＵスリット端子を設置領域を拡げることなく設置するために傾斜設置がなされている状況においてもこれに的確に対応して２本の電線をそれぞれのスリットに的確かつ容易に結線することが可能である。これにより、１つの回線について２カ所への入回線側接続を行うために２本のジャンパ線を接続可能とするダブルＵスリット端子の設置の要請に容易に対応することができる。
【考案を実施するための最良の形態】
【００２１】
本考案を実施するための最良の形態について図面に基づいて詳細に説明する。図１は本考案に係るダブルＵスリット端子用結線工具の全体構成を示している。図示のように、基端側が徐々に幅広に形成した把持部１２とされ、把持部１２の先端側には先端動作部１４が突出形成されている。また、把持部１２の側面部にはフック部１６が一端側を軸着することにより使用時には回動させて引き出すことができるように設けられている。フック部１６の先端部には鉤部１６ａが形成されジャンパ線をこの鉤部１６ａに引っ掛けることによりスムーズにジャンパ線の引き出し等を行うことが可能となっている。
【００２２】
本考案において特徴的なことは、先端動作部１４の先端部の構成にあり、図２は、本実施の形態に係る先端動作部１４の具体的構成を示しており、図示のようにジャンパ線をダブルＵスリット端子のスリットに押し込んで接続するための構成を有している。特徴的なことは２つの位置でそれぞれ異なるジャンパ線の結線を行う事のできる構成を有していることであり、第１の押圧部２０を構成する２つの突部２０ａ及び２０ｂ、第２の押圧部２２を構成する２つの突部２２ａ、２２ｂが設けられている。図示のように第１の押圧部２０と第２の押圧部２２は並列に並んで設けられている。この第１の押圧部２０と第２の押圧部２２との間の間隔は対応するダブルＵスリット端子の２つのスリットの間隔に対応させているものである。
【００２３】
第１の押圧部２０と第２の押圧部２２の一方側には切断用突部２４が形成されている。この切断用突部２４は後述する保安器サブモジュールに設置される切断用素子との協働によりジャンパ線の不要な先端部の切断を行うための突部である。この切断用突部２４の上端面には、２本のジャンパ線を簡易係止することができるように凹部２４ａ及び２４ｂが形成されている。また、第１の押圧部２０及び第２の押圧部２２の他方側には結線工具を押し動作する際の位置調整を正確に行うための位置合わせ突部２８ａ及び２８ｂが形成されている。
【００２４】
図３は、図２に示した先端動作部１４の水平断面の端面図を示しており、各部の機能の理解を容易にするため保安器サブモジュール側に設置されるダブルＵスリット端子２００及び切断端子３００も併せて図示している。図示のように、第１の押圧部２０ａ、２０ｂ及び第２の押圧部２２ａ、２２ｂはダブルＵスリット端子２００を所定間隔をおいて挟むような位置関係にあることが理解される。また、切断用突部２４は切断端子３００との間にわずかな間隙をおいた位置に一方の側面２４ｃが位置するように配置されている。
【００２５】
なお、図から理解されるように、第１の押圧部の突部２０ａ、２０ｂのそれぞれの対向面及び第２の押圧部の突部２２ａ、２２ｂのそれぞれの対向面は傾斜面になっている。これは、各対向面がダブルＵスリット端子２００の傾斜方向と略平行となるように構成したものであり、これにより、ダブルＵスリット端子２００の面と押圧部突部２０ａ，２０ｂ、２２ａ、２２ｂの端面の間隙が均一となり、ジャンパ線の押し込み動作はよりスムーズ且つ確実なものとなる。このようなダブルＵスリット端子２００及び切断端子３００との位置関係において、この先端動作部１４を押し込み動作することにより図示していないジャンパ線はダブルＵスリット端子２００のスリットに挟み込まれて電気的接続状態が確保され、これと同時に切断端子３００と切断用突部２４とによって不要部分のジャンパ線がカットされるものである。
【００２６】
図４は、図２に示した先端動作部１４とは異なる構成を有する先端動作部３０の構成が示されている。図２の構成要素と同様の構成要素には同一の符号を付しその説明を省略する。図２に示した先端動作部１４と異なる部分は、第１の押圧部の突部２０ａ、２０ｂ相互の対向面及び第２の押圧部の突部２２ａ、２２ｂ相互の対向面が傾斜面となっていないこと、すなわち、各押圧突部２０ａ、２０ｂ、２２ａ、２２ｂの伸長方向（結線される電線の伸長方向）に直交する面として対向するように構成されていることである。
【００２７】
図５は図４に示した先端動作部３０の水平断面の概略端面図を示しており、動作時におけるダブルＵスリット端子２００と切断端子３００との位置関係を明確にするため保安器サブモジュール側に設置されるダブルＵスリット端子２００及び切断端子３００を併せて図示している。図示のように第１の押圧部２０ａ、２０ｂ及び第２の押圧部２２ａ、２２ｂのそれぞれの対向面は傾斜の付けられていない略平行な対向面となっている。
【００２８】
すなわち、傾斜設置された状態のダブルＵスリット端子２００の傾斜方向には沿っていない端面設定となっている。このような設定の利点は、傾斜面とするよりも製造が容易であることのほか、各押圧部２０、２２によってジャンパ線をダブルＵスリット端子２００のスリット内に押し込み動作する際にスリットの角部にジャンパ線をより強く押しつける作用を奏するという点である。
【００２９】
なお、位置合わせ突部２８の形状が、図２の先端動作部１４のそれとは異なっている点については、特に機能についての差はない。ただ、本実施の形態では位置合わせ突部２８ａと２８ｂとがその端面において図示のように相互に連結された構成となっており、結線作業においてジャンパ線が位置合わせ突部２８ａと２８ｂとの間にはまり込むのを防止することができる。また、切断用突部２４については図２の先端動作部１４と同様の機能を奏するものである。
【００３０】
次に、上述の構成を有する結線工具によって接続される対象物及びその結線動作について説明する。図６は、保安器サブモジュール６０の外観構成を示す斜視図であり、図示のようにＡ線用及びＢ線用の２枚のプリント配線板からなる本体基板部６１を有し、全体として扁平な形状を有している。前端部には上下２段に１６個づつのダブルＵスリット端子の設置されたＵスリット端子設置部６２が設けられている。本実施の形態では、Ｕスリット端子ハウジング６３にそれぞれダブルＵスリット端子が併設されている。
【００３１】
側面部には、挿入されるジャンパ線の整線を行う通線口ユニット６４が設けられており、図上波線で示したルート６４ａに沿ってＵスリット端子設置部６２に導かれるものである。後端側には交換機側の出回線接続用端子である交換機側接続コネクタ６５、６６がそれぞれ回線数に対応する数だけ端子を有するように設けられている。また、交換機側コネクタ６５、６６とスリット端子設置部６２との間には、断線片の挿入により通信回線を切断して外線と内線を切り分け、通信障害の原因などを調査するための弾器ユニット６７が設置されている。
【００３２】
図７は、上述のスリット端子を設置するためのＵスリット端子ハウジング６３の構成を一部除去した斜視図であり、図示のように１６回線分のＡ線用、Ｂ線用のダブルＵスリット端子２００が上下２列に配列されている。すなわち、１６個のＡ線用ダブルＵスリット端子及び同じく１６個のＢ線用ダブルＵスリット端子がそれぞれ設置されているものである。また、各ダブルＵスリット端子２００にそれぞれ対応する位置に切断端子３００がダブルＵスリット端子２００の個数分それぞれ設置されている。
【００３３】
図８は、ダブルＵスリット端子２００及び切断端子３００のＵスリット端子ハウジング６３における設置状態を示す概略部分拡大図であり、図示のようにダブルＵスリット端子２００はＵスリット端子ハウジング６３の構成部に嵌合固定されており、整列方向に対し、所定角度、本実施の形態では約１５°傾斜した状態で設置されている。これは、各ダブルＵスリット端子２００相互間の絶縁性を確保するための空間を確保しつつ整列方向の幅を可及的に短くすることができるようにするための設置である。なお、切断端子３００についてもＵスリット端子ハウジング６３の構成部材により嵌合固定されている状態が理解される。
【００３４】
図９は、本実施の形態の結線対象であるダブルＵスリット端子２００の構成例を示している。図示のように上端部には２つのＵスリット２００ａ及び２００ｂが並設されている。これら２つのＵスリット２００ａ、２００ｂの設けられている上部は幅を細く形成された中間部２００Ｃの部分で所定角度ひねられた状態で下部の固定部２００ｄと連続している。このひねり角度が上述したダブルＵスリット端子２００の傾斜設置角度となるものである。
【００３５】
図１０は、上述の切断端子３００の構成例を示している。図示のように、ダブルＵスリット端子２００の２つのＵスリット２００ａ、２００ｂに対応する位置にそれぞれ凹部３００ａ、３００ｂが形成されており、これらの凹部３００ａ、３００ｂの縁部はナイフエッジとして形成されている。この切断端子３００はダブルＵスリット端子２００との間に所定間隔を置いて圧入用構成部３００ｃの部分でＵスリット端子ハウジング６３に嵌合固定されるものである。
【００３６】
なお、この様に切断端子３００の凹部３００ａ、３００ｂをナイフエッジとすることによって、上述の結線工具の先端動作部１４または３０の切断用突部２４との協働によるジャンパ線の切断が極めて容易なものとなる。すなわち、ナイフエッジとせず剪断動作とする場合に比べ、弱い押圧力で切断が可能となり、切断時にＵスリット端子ハウジング６３に加えられる衝撃も小さいものとなり、Ｕスリット端子ハウジング６３の構成は従来程の強度を確保しないものでも対応することができる。
【００３７】
次に、本実施の形態に係る結線工具を用いて結線する動作について説明する。図１１は、結線工具の先端動作部３０によって結線動作を行う直前の状態を示している。図示のようにＵスリット端子ハウジング６３にはダブルＵスリット端子２００及び切断端子３００が固定されており、通線口ユニット６４（図示せず）から導入されてきたジャンパ線４００がダブルＵスリット端子２００の一方側のＵスリット端子の上部に係止され、更にその先端が切断端子３００の凹部に係止されて外方に伸長している状態が示されている。
【００３８】
図１２は、上記図１１の状態から先端動作部３０を押し下げることにより行う一連の結線動作を示しており、動作の明確化のためにＵスリット端子ハウジング６３の構成部を図示せずダブルＵスリット端子２００、切断端子３００及びジャンパ線４００のみを示している。同図（Ａ）では、ジャンパ線４００がダブルＵスリット端子２００の一方のスリットに係止され、更にその先端が切断端子３００の一方の凹部に係止されている状態となっている。この状態で、先端動作部３０を矢印方向すなわち下方に押し下げると、同図（Ｂ）に示したようにジャンパ線４００の先端部４００ａは先端動作部３０の切断用突部２４と切断端子３００の行き交い動作によって切断端子３００のナイフエッジ部分で切断される。
【００３９】
また、この動作と同時進行で、ジャンパ線４００は第２の押圧部２２ａ、２２ｂにより押し下げられダブルＵスリット端子２００の一方のスリット内に挟み込まれる。このジャンパ線４００のスリット内への挟み込み動作によりジャンパ線４００の被覆部の一部が切断されダブルＵスリット端子２００とジャンパ線との電気的接続がなされるものである。
【００４０】
同図（Ｃ）はこの結線動作が終了した状態が示されている。すなわち、一本のジャンパ線４００−１のみが結線された状態になっている。更に、同図（Ｄ）ではもう一本のジャンパ線４００−２がダブルＵスリット端子２００の他方側のＵスリットに結線された状態が示されている。このように、上記実施の形態に係る結線工具によればダブルＵスリット端子２００への２本のジャンパ線の接続を一本ずつ、あるいは２本同時に簡単な押し下げ動作によってスムーズに結線することが可能となっている。
【００４１】
また、本実施の形態に係る結線工具によれば２つの押圧部すなわち、第１の押圧部２０及び第２の押圧部２２は、その押圧突部の位置が前後方向にずらされており、これによって省スペース化のために傾斜されて整列設置されたダブルＵスリット端子２００の２つのスリットへの結線動作もスムーズに行うことが可能となっている。
【００４２】
以上説明したように、本実施の形態に係る結線工具によれば、例えば、移転などの際に一時的に一つの回線に２カ所の入回線の接続を行う必要が生じた様な場合に、ダブルＵスリット端子２００を活用し、その２つのＵスリットへの２本のジャンパ線の接続を容易に行うことができる。特に、ダブルＵスリット端子２００を傾斜して整列設置した場合に、各スリットへの結線をより的確に行うことができる。また、本実施の形態に係る結線工具は、ダブルＵスリット端子２００に対して、１本のみのジャンパ線の接続を行う場合にももちろん有効に用いることができるものである。
【００４３】
本考案は上記実施の形態の構成に限定されるものではなく、考案の要旨の範囲内で種々の変形が可能である。
【図面の簡単な説明】
【００４４】
【図１】本考案に係る結線工具の外観構成図である。
【図２】本考案の実施の形態に係る結線工具の先端動作部の構成説明図である。
【図３】図２に示した結線工具の先端動作部の形状（切断面の端面）を示す説明図である。
【図４】本考案に係る結線工具の先端動作部の他の実施の形態を示す説明図である。
【図５】図４に示した結線工具の先端動作部の形状（切断面の端面）を示す説明図である。
【図６】本実施の形態に係る結線工具によって結線される対象であるダブルＵスリット端子の設置された保安器サブモジュールの外観斜視図である。
【図７】図６の保安器サブモジュールのＵスリット端子ハウジングの一部を除去した状態の外観斜視図である。
【図８】ダブルＵスリット端子及び切断端子の設置状態を示す部分拡大図である。
【図９】図７に示したＵスリット端子ハウジングに設置されたダブルＵスリット端子の構成を示す斜視図である。
【図１０】図７に示したＵスリット端子ハウジングに設置された切断端子の構成を示す斜視である。
【図１１】実施の形態に係る結線工具による結線動作を行う直前の状態を示す説明図である。
【図１２】（Ａ）から（Ｄ）は実施の形態に係る結線工具による結線動作の説明図である。
【図１３】従来の結線工具の先端動作部の構成を示す説明図である。
【符号の説明】
【００４５】
１０  結線工具
１２  把持部
１４、３０  先端動作部
２０  第１の押圧部
２２  第２の押圧部
２４  切断用突部
２８  位置合わせ突部
【図２】
0003147807.tif 000003
【図３】
0003147807.tif 000004
【図４】
0003147807.tif 000005
【図５】
0003147807.tif 000006
【図６】
0003147807.tif 000007
【図７】
0003147807.tif 000008
【図８】
0003147807.tif 000009
【図９】
0003147807.tif 000010
【図１０】
0003147807.tif 000011
【図１２】
0003147807.tif 000012
【図１３】
0003147807.tif 000013
【図１】
0003147807.tif 000014
【図１１】
0003147807.tif 000015